(57)【要約】【課題】微細気泡を発生させるシャワーヘッドを提供して、シャワーヘッドの交替だけで微細気泡が含有されたシャワー用水を使うことができる。【解決手段】シャワー用水が流入される流入部が一端に形成されて、前記流入部を通じて流入された前記シャワー用水が流出される流出部が他端に形成されたボディーと、前記流出部に結合されて、前記シャワー用水の排出方向で拡管される気泡発生管が複數個形成された気泡発生部と、前記気泡発生管の中で一部を開閉することができる流量調節部及び前記気泡発生部の前方に設置され、前記シャワー用水が外部に吐出されるように複數個の撒水ホールが形成された撒水部を含むシャワーヘッド。【選択図】図１
2013535298.tif 000002
【特許請求の範囲】
【請求項１】
シャワー用水が流入される流入部が一端に形成されて、前記流入部を通じて流入された前記シャワー用水が流出される流出部が他端に形成されたボディーと、
前記流出部に結合されて、前記シャワー用水の排出方向で拡管される気泡発生管が複數個形成された気泡発生部と、
前記気泡発生管の中で一部を開閉することができる流量調節部及び、
前記気泡発生部の前方に設置され、前記シャワー用水が外部に吐出されるように複數個の撒水ホールが形成された撒水部を含む事を特徴とする、
シャワーヘッド。
【請求項２】
前記流量調節部は、前記気泡発生部に設置された前記複數個の気泡発生管の一部を開閉することができる開閉部と、前記開閉部と連動できるように結合されて前記ボディーの外部から前記開閉部を操作することができる操作部を含むことを特徴とする請求項１に記載のシャワーヘッド。
【請求項３】
前記開閉部は前記操作部の操作によって回転可能に設置されることを特徴とする請求項２に記載のシャワーヘッド。
【請求項４】
前記開閉部は回転軸の外側方向に延長される少なくとも一つの開閉版を含んで構成されることを特徴とする請求項３に記載のシャワーヘッド。
【請求項５】
前記複數個の気泡発生管の一部は前記開閉版の位置によって選択的に開閉されるようにフレームの回転半径と前記開閉版の回転半径の間に位することを特徴とする請求項４に記載のシャワーヘッド。
【請求項６】
前記開閉版には前記複數個の気泡発生管の一部の気泡発生管と対応される位置に形成される複數個の開口部が形成されることを特徴とする請求項３に記載のシャワーヘッド。
【請求項７】
前記開閉部は一面が前記気泡発生部の背面に密着設置され、引き戸方式で前記気泡発生管の入口を開閉する引き戸版を含むことを特徴とする請求項２に記載のシャワーヘッド。
【請求項８】
前記開閉部と前記操作部の間に設置されて、前記操作部の回転運動を前記引き戸版を開閉する動作で切り替える連動部を更に含むことを特徴とする請求項７に記載のシャワーヘッド。
【請求項９】
前記引き戸版の裏面には第１齒形が形成されて、前記操作部の一端には側面に第１螺子山が形成された円筒形のねじ部が形成されて、前記連動部は扇形プレートの形象で成り立って、その曲面の一部には前記第１齒形に対応する第２齒形が形成されて、前記曲面の他の一部には前記第１螺子山に対応する第３齒形が形成されて、前記連動部は前記第１齒形に前記第２齒形が齒合され、前記第１螺子山に前記第３齒形が齒合されるように結合されることを特徴とする請求項８に記載のシャワーヘッド。
【請求項１０】
前記開閉部は前記気泡発生管の入口側から離隔して位置し、前記操作部の回転によって前記開閉部と前記気泡発生管の入口の間の距離が調節されることを特徴とする請求項２に記載のシャワーヘッド。
【請求項１１】
前記開閉部は一面に前記気泡発生管の内部に挿入可能な流量調節ピンが形成されることを特徴とする請求項１０に記載のシャワーヘッド。
【請求項１２】
前記開閉部の裏面には側面に雄ねじが形成された円筒形のボルト部が形成されて、前記操作部の一端には前記ボルト部が挿入されるように円筒形の凹部が形成されて、前記凹部の内側に前記雄ねじに対応される雌ねじが形成されたナット部が形成されることを特徴とする請求項１０に記載のシャワーヘッド。
【請求項１３】
前記操作部の一端には側面に雄ねじが形成された円筒形のボルト部が形成されて、前記開閉部の裏面には前記ボルト部が挿入されるように円筒形の凹部が形成されて、前記凹部の内側に前記雄ねじに対応される雌ねじが形成されたナット部が形成されることを特徴とする請求項１０に記載のシャワーヘッド。
【請求項１４】
前記流出部と前記気泡発生部の間に設置されて、前記流出部の内側直径より小さな直径を持つ噴出孔が形成された加速部を更に含むことを特徴とする請求項１に記載のシャワーヘッド。
【請求項１５】
前記気泡発生部と前記撒水部の間に設置されて、前記気泡発生管を通じて排出されたシャワー用水が衝突される衝突壁と前記衝突壁に衝突したシャワー用水が迂回して前記撒水ホールに向くようにする流路が形成された迂回部を更に含むことを特徴とする請求項１に記載のシャワーヘッド。
【請求項１６】
前記ボディーは前記流入部と前記流出部を連結する流路で分岐されて、前記流出部の一側に出口が位置するように前記ボディーの内部に形成された補助流路を更に含むことを特徴とする請求項１に記載のシャワーヘッド。
【請求項１７】
前記補助流路では前記気泡発生部と前記撒水部の間に出口が位置することを特徴とする請求項１６に記載のシャワーヘッド。
【請求項１８】
前記ボディーの一側に前記補助流路を貫いて設置されて、前記ボディーの外側で前記補助流路を開閉することができるように形成された流量調節装置を更に含むことを特徴とする請求項１６又は請求項１７に記載のシャワーヘッド。
【請求項１９】
前記流入部と前記流出部を連通する流路の出口は前記流入部を通じて前記流出部で排出される前記シャワー用水が前記流出部の内側面に沿って旋回する位置に形成されることを特徴とする請求項１に記載のシャワーヘッド。
【発明の詳細な説明】
【技術分野】
【０００１】
本発明はシャワーのシャワーヘッド、更に詳しくはシャワー用水に微細気泡を発生させて供給するシャワーヘッドに関するものである。
【背景技術】
【０００２】
最近は水質汚染によって、飲用水を確保するために浄水器を備えたり、生水を別に購買して飲用することが一般化されている。
また、洗浄用水としても上水道や地下水をそのまま利用しないで、浄水器または軟水器などを通じて浄化して使ったり機能性の洗浄用水を使っている。
【０００３】
さらに、最近は一般的に使われている化学物質（せっけん、洗滌剤、洗剤、化粧品など）と汚染物質などが接触性皮膚炎すなわちアトピーを発生させる要因として注目されていて、上記の物質の洗浄效果を高めることと同時に皮膚刺激を最小化する洗浄用水の確保が重要な問題として台頭してきている。
【０００４】
これに対して、最近、直径が１〜数十マイクロメートルの微細気泡を洗浄用水に多量発生させて使う方法が注目されている。
前記の微細気泡は皮膚の毛穴より小さいため、毛穴の中に侵透して毛穴内の異物及び細菌を除去することができる。また、前記の微細気泡は水の中で破裂する時に超音波及び瞬間的な高熱などのエネルギーを発生しながら消滅するので、このような特性を利用して浄水装置及び医療装置などにも広く活用されている。
【０００５】
しかし、従来の微細気泡発生装置は洗浄用水で使う前に微細気泡供給装置から微細気泡を発生させて確保する段階を経なければならないので、このためには所定の時間が掛かるだけでなく、微細気泡供給装置を設置するための空間確保が要求され、当該装置は壁面に設置される為作業が煩わしいという問題点もある。
【発明の概要】
【発明が解決しようとする課題】
【０００６】
本発明は微細気泡を発生させるシャワーヘッドを提供することにその目的がある。
なお、以降の説明において、本発明で使われる技術用語及び科学用語について他の定義がなければ本発明が属する技術分野で通常の知識を有する者が通常的に理解している意味で解釈される。また従来と等しい技術的構成及び作用に対する繰り返しの説明は省略する。
【課題を解決するための手段】
【０００７】
前記目的を達成するための本発明は、シャワー用水が流入される流入部が一端に形成されて、前記流入部を通じて流入された前記シャワー用水が流出される流出部が他端に形成されたボディーと、前記流出部に結合されて、前記シャワー用水の排出方向で拡管される気泡発生管が複數個形成された気泡発生部と、前記気泡発生管の中で一部を開閉することができる流量調節部及び前記気泡発生部の前方に設置され、前記シャワー用水が外部に吐出されるように複數個の撒水ホールが形成された撒水部を含んで構成することができる。
【０００８】
前記流量調節部は、前記気泡発生部に設置された前記複數個の気泡発生管の一部を開閉することができる開閉部と、前記開閉部と連動できるように結合されて前記ボディーの外部から前記開閉部を操作することができる操作部を含んで構成されることができる。
【０００９】
前記開閉部は前記操作部の操作によって回転可能に設置される。前記開閉部は回転軸の外側方向に延長される少なくとも一つの開閉版を含んで構成されることができる。前記開閉版には前記複數個の気泡発生管の一部の気泡発生管と対応される位置に形成される複數個の開口部を形成することができる。
【００１０】
前記複數個の気泡発生管の一部は前記開閉版の位置によって選択的に開閉されるようにフレームの回転半径と前記開閉版の回転半径の間に位することができる。
【００１１】
一方、前記開閉部は一面が前記気泡発生部の背面に密着設置され、引き戸方式で前記気泡発生管の入口を開閉する引き戸版を含んで構成されることができる。前記開閉部と前記操作部の間に設置されて、前記操作部の回転運動を前記引き戸版を開閉する動作で切り替える連動部を更に含むことができる。
【００１２】
前記引き戸版の裏面には第１齒形が形成されて、前記操作部の一端には側面に第１螺子山が形成された円筒形のねじ部が形成されて、前記連動部は扇形プレートの形象で成り立って、その曲面の一部には前記第１齒形に対応する第２齒形が形成されて、前記曲面の他の一部には前記第１螺子山に対応する第３齒形が形成されて、前記連動部は前記第１齒形に前記第２齒形が齒合され、前記第１螺子山に前記第３齒形が齒合されるように結合されることができる。
【００１３】
一方、前記開閉部は前記気泡発生管の入口側から離隔して位置し、前記操作部の回転によって前記開閉部と前記気泡発生管の入口の間の距離を調節することができる。前記開閉部は一面に前記気泡発生管の内部に挿入可能な流量調節ピンを形成することができる。
【００１４】
前記開閉部の裏面には側面に雄ねじが形成された円筒形のボルト部が形成されて、前記操作部の一端には前記ボルト部が挿入されるように円筒形の凹部が形成されて、前記凹部の内側に前記雄ねじに対応される雌ねじが形成されたナット部を形成することができる。
また、前記操作部の一端には側面に雄ねじが形成された円筒形のボルト部が形成されて、前記開閉部の裏面には前記ボルト部が挿入されるように円筒形の凹部が形成されて、前記凹部の内側に前記雄ねじに対応される雌ねじが形成されたナット部を形成することができる。
【００１５】
前記流出部と前記気泡発生部の間に設置して、前記流出部の内側直径より小さな直径を持つ噴出孔が形成された加速部を更に含むことができる。
一方、前記気泡発生部と前記撒水部の間に設置されて、前記気泡発生管を通じて排出されたシャワー用水が衝突する衝突壁と前記衝突壁に衝突したシャワー用水が迂回して前記撒水ホールを向くようにする流路が形成された迂回部を更に含むことができる。
【００１６】
前記ボディーは前記流入部と前記流出部を連結する流路で分岐されて、前記流出部の一側に出口が位置するように前記ボディーの内部に形成された補助流路を更に含むことができる。前記補助流路では前記気泡発生部と前記撒水部の間に出口を位置することができる。
前記ボディーの一側に前記補助流路を貫いて設置されて、前記ボディーの外側で前記補助流路を開閉することができるように形成されたスィッチを更に含むことができる。
【００１７】
前記流入部と前記流出部を連通する流路の出口は前記流入部を通じて前記流出部で排出される前記シャワー用水が前記流出部の内側面に沿って旋回する位置に形成することができる。
【図面の簡単な説明】
【００１８】
【図１】本発明の第１実施例によるシャワーヘッドを示す斜視図である。
【図２】本発明の第１実施例によるシャワーヘッドを示す分解図である。
【図３】図１のＡ−Ａ’線の分解断面図である。
【図４】吐出流量が最大である時の開閉部の位置を示す動作図である。
【図５】吐出流量が最小である時の開閉部の位置を示す動作図である。
【図６】本発明の第２実施例による流量調節部を示す断面図である。
【図７】本発明の第３実施例による流量調節部を示す断面図である。
【図８】本発明の第４実施例によるシャワーヘッドを示す分解図である。
【図９】本発明の第５実施例によるシャワーヘッドのボディーを示す断面図である。
【図１０ａ】本発明の第６実施例によるシャワーヘッドのボディーを示す断面図である。
【図１０ｂ】図１０ａのＢ−Ｂ’線の断面図である。
【発明を実施するための形態】
【００１９】
以下の実施例及び実験例によって本発明を詳しく説明する。尚、この実施例及び実験例は本発明を例示するだけであり、本発明の内容が実施例及び実験例で限定されるものではない。
【００２０】
図１は本発明の第１実施例によるシャワーヘッド（１００）を示す斜視図であり、図２は本発明の第１実施例によるシャワーヘッド（１００）を示す分解図である。
図１及び図２に図示したように、本発明の第１実施例によるシャワーヘッド（１００）はボディー（１１０）、微細気泡を発生させる気泡発生部（１３０）、気泡発生部（１３０）に進入するシャワー用水の流量を調節する流量調節部（１２０）、シャワー用水を吐出する撒水部（１５０）を含んで構成することができる。
【００２１】
以下では構成要素別に図面を参照して説明する。
図１及び図２に図示したようにボディー（１１０）の一端にはシャワー用水を供給する給水ホース（未図示）が結合されてシャワー用水が流入される流入部（１１１）が形成されていて、他端には前記流入部（１１１）と連通されてシャワー用水が流出される流出部（１１２）が形成されている。前記流入部（１１１）は給水ホースとねじ結合するように形成されて、その結合部位には漏水防止のためにゴムパッキングが設置されるのが望ましい。
【００２２】
そして、前記流入部（１１１）と前記流出部（１１２）の間の流路を取り囲むボディー（１１０）はシャワーヘッド（１００）を使う時にシャワーヘッド（１００）を握ることができるハンドグリップの機能も持つ。
【００２３】
流出部（１１２）をパスしたシャワー用水は気泡発生部（１３０）に流入する。気泡発生部（１３０）は複數個の気泡発生管（１３１ａ、１３１ｂ、１３１ｃ、１３１ｄ、１３２ａ、１３２ｂ、１３２ｃ）を具備する。シャワー用水は気泡発生管（１３１ａ、１３１ｂ、１３１ｃ、１３１ｄ、１３２ａ、１３２ｂ、１３２ｃ）をパスしながら微細気泡を含有するようになる。
【００２４】
気泡発生部（１３０）の背面には流量調節部（１２０）が設置される。流量調節部（１２０）は回転可能に設置されて、気泡発生管（１３１）の入口を開閉する開閉部（１２１）と開閉部（１２１）をボディー（１１０）の外部で操作することができる操作部（１２２）を含む。操作部（１２２）は開閉部（１２１）をボディー（１１０）の外部で操作するように、ボディー（１１０）の他側を貫いて開閉部（１２１）と結合される。
【００２５】
気泡発生部（１３０）と流量調節部（１２０）に関する更に詳しい内容は後述する。
【００２６】
気泡発生部（１３０）をパスして微細気泡を含有するようになったシャワー用水は撒水部（１５０）に流入される。撒水部（１５０）はドームの形態に形成することができ、撒水部（１５０）に流入したシャワー用水がシャワーヘッド（１００）の外で均一に吐出されるように撒水部（１５０）の全面には撒水部（１５０）の全面を貫通する複数個の撒水ホール（１５１）が均一に形成される。
【００２７】
撒水部（１５０）はボディー（１１０）に形成された流出部（１１２）の内側に結合することができる。したがって、撒水部（１５０）の外径は流出部（１１２）の内側に差し込まれるように流出部（１１２）の内径より少し小さいことがある。
また、撒水部（１５０）の外側には撒水部（１５０）の外縁に沿って氣密部材（未図示）を設置する凹部（１５２）を形成することができる。氣密部材にはゴムリングを使うことができる。氣密部材は凹部（１５２）に設置されて漏水を遮断することと同時に撒水部（１５０）とボディー（１１０）の結合をより堅固にすることができる。
【００２８】
また、撒水部（１５０）の外側まわりに沿ってバンディング部（１４０）を設置することができる。バンディング部（１４０）は撒水部（１５０）に形成された撒水ホール（１５１）が露出されるようにバンド形態に形成されて、バンディング部（１４０）の全面が撒水部（１５０）の全面と同じ平面にあるように設置されることができる。
そして、バンディング部（１４０）の内側面は流出部（１１２）の外側面が差し込まれるように内径を流出部（１１２）の外径より少し大きくすることができる。また、バンディング部（１４０）が流出部（１１２）の外側面にねじ結合にするように構成することができる。
【００２９】
バンディング部（１４０）は撒水部（１５０）と流出部（１１２）が結合される部分を隠してシャワーヘッド（１００）の外觀を完成すると同時に、撒水部（１５０）が水圧によって流出部（１１２）から離脱することを防止する役目をする。
【００３０】
以下では気泡発生部（１３０）に対して詳しく説明する。
【００３１】
図３は気泡発生部（１３０）の断面図である。図３に図示したように複数個の気泡発生管（１３１ａ、１３１ｂ、１３１ｃ、１３１ｄ、１３２ａ、１３２ｂ、１３２ｃ）はシャワー用水が流入される入口の直径（Ｄ１）がシャワー用水が流出される出口の直径（Ｄ２）より小さく形成されて、シャワー用水が進行する方向に傾き、拡管するように形成される（Ｄ１＜Ｄ２）。入口の直径は約１〜２ｍｍが望ましい。
【００３２】
前記気泡発生管（１３１ａ、１３１ｂ、１３１ｃ、１３１ｄ、１３２ａ、１３２ｂ、１３２ｃ）は入口直径（Ｄ１）より出口直径（Ｄ２）が大きいので気泡発生管（１３１ａ、１３１ｂ、１３１ｃ、１３１ｄ、１３２ａ、１３２ｂ、１３２ｃ）の内には流速が違う層が発生するようになって、各層の間及び気泡発生管（１３１ａ、１３１ｂ、１３１ｃ、１３１ｄ、１３２ａ、１３２ｂ、１３２ｃ）の内側面との間でシャワー用水及びシャワー用水に含まれていた気体は剪断力を受ける。
そして、剪断力を受けた気体は微細気泡に分化される。したがって、シャワー用水は気泡発生管（１３１ａ、１３１ｂ、１３１ｃ、１３１ｄ、１３２ａ、１３２ｂ、１３２ｃ）をパスする過程で微細気泡を含んだシャワー用水になる。
【００３３】
本発明の第１実施例による気泡発生部（１３０）は後述する開閉部（１２１）によって開閉が可能な気泡発生管（１３１ａ、１３１ｂ、１３１ｃ、１３１ｄ）と常時開放される気泡発生管（１３２ａ、１３２ｂ、１３２ｃ）を含むことができる。
このために開閉部（１２１）によって開閉が可能な気泡発生管（１３１ａ、１３１ｂ、１３１ｃ、１３１ｄ）は開閉部（１２１）の回転半径の以内に設置されて、常時開放される気泡発生管（１３２ａ、１３２ｂ、１３２ｃ）は開閉部（１２１）の回転半径の外に設置される。
【００３４】
気泡発生部（１３０）は流出部（１１２）の内側面に差し込むことで結合することができる。そして、気泡発生部（１３０）と流出部（１１２）の結合力を高めて、シャワー用水の漏水を防止するために気泡発生部（１３０）の外縁にゴムリングのような氣密部材を設置することができる。このために気泡発生部（１３０）の外側面には氣密部材を設置することができる凹部（１３５）を形成することができる。
【００３５】
以下では流量調節部（１２０）に対して詳しく説明する。
【００３６】
気泡発生部（１３０）で発生する微細気泡は気泡発生管（１３１ａ、１３１ｂ、１３１ｃ、１３１ｄ、１３２ａ、１３２ｂ、１３２ｃ）をパスするシャワー用水の流速が増加するほど多量発生するようになる。流体の断面積と流体の速度は反比例の関係にあることを考慮すれば、シャワー用水が気泡発生管（１３１ａ、１３１ｂ、１３１ｃ、１３１ｄ、１３２ａ、１３２ｂ、１３２ｃ）をパスする速度を高めるためには気泡発生管（１３１ａ、１３１ｂ、１３１ｃ、１３１ｄ、１３２ａ、１３２ｂ、１３２ｃ）の直径を小さくしなければならない。
しかし、気泡発生管（１３１ａ、１３１ｂ、１３１ｃ、１３１ｄ、１３２ａ、１３２ｂ、１３２ｃ）の直径を小さく形成すれば、吐出されるシャワー用水の流量が少なくなる。
【００３７】
したがって、微細気泡の発生量を高めようとする時は全体に流路の断面積の割合を小さくし、シャワー用水の流量を更に確保しようとする時は全体に流路の断面積の割合を大きくできるように、気泡発生管（１３１ａ、１３１ｂ、１３１ｃ、１３１ｄ、１３２ａ、１３２ｂ、１３２ｃ）の中で一部の気泡発生管（１３１ａ、１３１ｂ、１３１ｃ、１３１ｄ）を開閉することができる流量調節部（１２０）を設置することができる。
【００３８】
図４は吐出流量が最大である時の開閉部の位置を示す動作図であり、図５は吐出流量が最小である時の開閉部の位置を示す動作図である。
【００３９】
図４に図示したように、開閉部（１２１）は気泡発生部（１３０）の背面に設置される。開閉部（１２１）は回転軸と繋がれるフレーム（１２１ｄ）と、フレーム（１２１ｄ）の外側で延長される開閉版（１２１ａ、１２１ｂ）を具備して、フレーム（１２１ｄ）の中央部には操作部（１２２）と結合される支持台（１２２ｃ）を形成することができる。
操作部（１２２）と結合される支持台（１２２ｃ）の一端はボディー（１１０）を貫き通して、操作部（１２２）はボディー（１１０）を貫き通して出た支持台（１２２ｃ）の一端に結合することができる。
【００４０】
したがって、使用者はボディー（１１０）の外側に具備される操作部（１２２）を回転させて開閉部（１２１）を回転させることができる。そして、開閉版（１２１ａ、１２１ｂ）は回転して気泡発生管（１３２）の入口（１３４ａ、１３４ｂ、１３４ｃ、１３４ｄ）を遮蔽することができる。
【００４１】
開閉版（１２１ａ、１２１ｂ）が気泡発生管（１３２）の入口（１３４ａ、１３４ｂ、１３４ｃ、１３４ｄ）を遮蔽してない状態を図４に図示する。図４に図示された常時開放される気泡発生管（１３３ａ、１３３ｂ、１３３ｃ）は開閉版（１２１ａ、１２１ｂ）の回転半径の外に位して開閉版（１２１ａ、１２１ｂ）によって閉まらない。
【００４２】
使用者が開閉版（１２１ａ、１２１ｂ）を更に回転させれば開閉が可能な気泡発生管（１３１ａ、１３１ｂ、１３１ｃ、１３１ｄ）の入口（１３４ａ、１３４ｂ、１３４ｃ、１３４ｄ）は一つずつ閉まり、図５の状態になると開閉が可能な気泡発生管（１３１ａ、１３１ｂ、１３１ｃ、１３１ｄ）の入口（１３４ａ、１３４ｂ、１３４ｃ、１３４ｄ）は全部閉まる。
【００４３】
この場合、図５に図示したように、常時開放される気泡発生管（１３２ａ、１３２ｂ、１３２ｃ）の入口（１３３ａ、１３３ｂ、１３３ｃ）だけ開かれていて、ボディー（１１０）を通じて流入されたシャワー用水は常時開かれている気泡発生管（１３２ａ、１３２ｂ、１３２ｃ）をパスするので相対的に流速は早くなる。したがって、微細気泡がより効果的に発生するようになる。
【００４４】
他の実施例で開閉版（１２１ａ、１２１ｂ）は開閉が可能な気泡発生管（１３１ａ、１３１ｂ、１３１ｃ、１３１ｄ）の入口（１３４ａ、１３４ｂ、１３４ｃ、１３４ｄ）の位置に対応する多数の開口部を具備することができる。
したがって、開口部と気泡発生管（１３１ａ、１３１ｂ、１３１ｃ、１３１ｄ）の入口（１３４ａ、１３４ｂ、１３４ｃ、１３４ｄ）の位置が対応すれば、すべての気泡発生管（１３１ａ、１３１ｂ、１３１ｃ、１３１ｄ、１３２ａ、１３２ｂ、１３２ｃ）が開かれ、開閉部を回転させて開口部と気泡発生管（１３１ａ、１３１ｂ、１３１ｃ、１３１ｄ）の入口（１３４ａ、１３４ｂ、１３４ｃ、１３４ｄ）の位置が外れると開閉が可能な気泡発生管（１３１ａ、１３１ｂ、１３１ｃ、１３１ｄ）の入口（１３４ａ、１３４ｂ、１３４ｃ、１３４ｄ）は閉まって、常時開放される気泡発生管（１３２ａ、１３２ｂ、１３２ｃ）の入口（１３３ａ、１３３ｂ、１３３ｃ）だけ開かれるようになる。
【００４５】
一方、操作部（１２２）とボディー（１１０）の間または気泡発生部（１３０）と開閉版（１２１ａ、１２１ｂ）の間には、回転軸を中心に環形で一定の間隔を維持して配置される突起（未図示）を形成することができる。
これは操作部（１２２）を回転する時、使用者が回転によるクリック感を触覚を通じて認識して開閉版（１２１ａ、１２１ｂ）の回転量を計ることができるようにし、また開閉版（１２１ａ、１２１ｂ）が気泡発生管（１３１ａ、１３１ｂ、１３１ｃ、１３１ｄ）を正確に開閉する位置に位置するように誘導するためである。
【００４６】
前記のような構成によって本発明の第１実施例によるシャワーヘッド（１００）は気泡発生部（１３０）をパスして微細気泡を含んだシャワー用水を排出することができ、流量調節部（１２０）を具備してシャワー用水に含まれる微細気泡及びシャワー用水の吐出流量を調節することができる。
【００４７】
以下では本発明の第２実施例によるシャワーヘッド（１００）について説明する。説明の便宜のために第１実施例と類似の部分は同じ図面番号を使い、第１実施例と共通する部分は説明を省略する。
【００４８】
図６は本発明の第２実施例による流量調節部を示す断面図である。図６に図示したように、第２実施例による流量調節部（２２０）は気泡発生部（１３０）の背面に設置されて、気泡発生官（１３１）の入口を開閉する開閉部（２２１）と、ボディー（１１０）の外部で開閉部（２２１）を動かすことができる操作部（２２２）、そして開閉部（２２１）と操作部（２２２）の間に設置される連動部（２２３）を含む。
【００４９】
開閉部（２２１）は気泡発生官（１３１）の入口を引き戸方式で開閉するようにした引き戸版（２２１ａ、２２１ｂ）で構成することができる。引き戸版（２２１ａ、２２１ｂ）の一面は気泡発生部（１３０）の背面に密着して設置されて、引き戸版（２２１ａ、２２１ｂ）の裏面には第１齒形を形成することができる。
【００５０】
開閉部（２２１）と操作部（２２２）の間に設置される連動部（２２３）はボディー（１１０）の外部に設置された操作部（２２２）の回転運動を引き戸版（２２１ａ、２２１ｂ）の上下運動に変換する。
操作部（２２２）の回転運動を引き戸版（２２１ａ、２２１ｂ）の上下運動に変換するには多様な方法があるが、本実施例ではその一例としてラックとピニオン（ｒａｃｋａｎｄｐｉｎｉｏｎ）を利用して説明する。
【００５１】
操作部（２２２）の一端には側面に第１螺子山が形成された円筒状のねじ部（２２２ａ）を形成することができる。
【００５２】
連動部（２２３）は扇形のプレートで構成することができる。連動部（２２３）の曲面の一部には引き戸版（２２１ａ、２２１ｂ）に形成された第１齒形に対応する第２齒形が形成されて、曲面の中で他の一部にはねじ部（２２２ａ）に形成された第１齒形と対応される第３齒形が形成される。
【００５３】
連動部（２２３）は固定軸（２２３ａ）に固定されたまま、第３齒形はねじ部（２２２ａ）に形成された第１螺子山に齒合されて、第２齒形は引き戸版（２２１ａ、２２１ｂ）に形成された第１齒形に齒合されるように設置される。固定軸（２２３ａ）は連動部（２２３）が回転運動だけできるように連動部（２２３）を支持するように設置される。
【００５４】
図６に図示したように、連動部（２２３）はねじ部（２２２ａ）の両側に設置されて引き戸版（２２１ａ、２２１ｂ）をそれぞれに上下で動かすことができる。
【００５５】
前記のような構成によって使用者がボディー（１１０）の外部に設置された操作部（２２２）を一方で回転させれば操作部（２２２）の一端に形成されたねじ部（２２２ａ）が回転して連動部（２２３）を回転させる。ここで、ねじ部（２２２ａ）の両側に連動部（２２３）が設置された場合には連動部（２２３）をそれぞれに逆方向に回転させる。
連動部（２２３）が回転することによって開閉版（２２１ａ、２２１ｂ）はお互いに近づいて気泡発生管（１３１）の入口を狭めて流路の断面積を減らし、これによって微細気泡の発生が活性化する。
【００５６】
反対に、使用者がボディー（１１０）の外部に設置された操作部（２２２）を他方向に回転させれば、連動部（２２３）が逆に回転して引き戸版（２２１ａ、２２１ｂ）を互いに離れるようにして流路の断面積を広げ、シャワー用水の流量をさらに確保することができる。
したがって、使用者は操作部（２２２）を調節して使用者の好みにあうように流量及び微細気泡の発生量を選択することができる。
【００５７】
固定軸（２２３ａ）には複数個の連動部（２２３）を平行に設置して複数個の気泡発生管（１３１）の流量を同時に調節できるように構成する。また、図示しないがねじ部（２２２ａ）にかみ合った連動部（２２３）とリンク連結を通じて一緒に駆動する方式で複数個の連動部（２２３）を動作させて複数個の気泡発生管（１３１）の流量を同時に調節できるように構成する。
【００５８】
以下では本発明の第３実施例によるシャワーヘッド（１００）について説明する。説明の便宜のために第１実施例と類似の部分は同じ図面番号を使い、第１実施例と共通する部分は説明を省略する。
【００５９】
図７は本発明の第３実施例による流量調節部を示す断面図である。
図７に図示したように、第３実施例による流量調節部（３２０）は、気泡発生管（１３１）の入口側に位置して気泡発生管（１３１）の長さ方向に従って動いて気泡発生管（１３１）の入口を開閉する開閉部（３２１）と、ボディー（１１０）の外部で開閉部（３２１）と気泡発生管（１３１）の入口の間隔を調節することができる操作部（３２２）を含む。
【００６０】
開閉部（３２１）は開閉版（３２１ａ）と開閉版（３２１ａ）の一面に形成された流量調節ピン（３２１ｂ）で構成することができる。気泡発生部（１３０）の背面にはガイドバー（ｇｕｉｄｅｂａｒ）（３１１）が設置されて、流量調節ピン（３２１ｂ）が気泡発生管（１３１）の内部に挿入されるように開閉部（３２１）を気泡発生管（１３１）の長さ方向に従って案内することができる。
このために開閉版（３２１ａ）の縁には開閉版（３２１ａ）を貫通するホールをガイドバー（３１１）の設置位置に対応するように形成することができる。
【００６１】
流量調節ピン（３２１ｂ）は気泡発生管（１３１）の入口に対応する位置に気泡発生管（１３１）を向けて直径が細くなる円錐形に形成することができる。この場合、円錐の底面の直径は気泡発生管（１３１）の入口直径と同じかより大きく形成する。
【００６２】
操作部（３２２）の回転で開閉部（３２１）と気泡発生管（１３１）の入口との距離を調節するには多様な方法があるが、本実施例ではその一例の、ボルト部（３２３ａ）とナット部（３２３ｂ）による実施例で説明する。
【００６３】
ボルト部（３２３ａ）は円筒状ボディーで成り立って、円筒状ボディー側面の一部または全部に雄ねじが形成される。ナット部（３２３ｂ）にはボルト部（３２３ａ）が挿入されるように円筒状の凹部が形成されて、凹部に沿ってボルト部（３２３ａ）に形成された雄ねじと対応される雌ねじが形成される。
【００６４】
図７に図示したように、ボルト部（３２３ａ）は開閉版（３２１ａ）の裏面に設置されて、ナット部（３２３ｂ）は操作部（３２２）の一端に設置され、互いに結合することができる。または、逆にナット部（３２３ｂ）を開閉版（３２１ａ）の裏面に設置しボルト部（３２３ａ）を操作部（３２２）の一端に設置すれることもできる。
【００６５】
前記のような構成によって使用者がボディー（１１０）の外部に設置された操作部（３２２）を一方に回転させれば操作部（３２２）の一端に設置されたナット部（３２３ｂ）が操作部（３２２）とともに回転して、ナット部（３２３ｂ）が回転しながらボルト部（３２３ａ）を押し出す。
ボルト部（３２３ａ）の一端に結合された開閉版（３２１ａ）はガイドバー（３１１）に付いてボルト部（３２３ａ）とともに押し寄せて、流量調節ピン（３２１ｂ）は気泡発生管（１３１）の入口を通じて気泡発生管（１３１）の内部に進入して流路の断面積を減らし、微細気泡の発生を活性化させる。
【００６６】
反対に、使用者がボディー（１１０）の外部に設置された操作部（３２２）を他方向に回転させれば、ナット部（３２３ｂ）の中にボルト部（３２３ａ）が入って来るようになって、流量調節ピン（３２１ｂ）が気泡発生管（１３１）の入口を通じて気泡発生管（１３１）の外部に離脱し、流路の断面積を広げて、シャワー用水の流量を更に確保することができる。
したがって、使用者は操作部（３２２）を調節して使用者の好みにあうように流量及び微細気泡の発生量を選択することができる。
【００６７】
流量調節ピン（３２１ｂ）は複数個形成し、複数個の気泡発生管（１３１）の全部または一部の流量を調節するように構成することができる。
【００６８】
以下では本発明の第４実施例によるシャワーヘッド（１００）について説明する。説明の便宜のために第１実施例と類似の部分は同じ図面番号を使い、第１実施例と共通する部分は説明を省略する。
【００６９】
図８は本発明の第４実施例によるシャワーヘッドを示す分解図である。
図８に図示したように、第４実施例によるシャワーヘッド（４００）はボディー（１１０）、シャワー用水の流速を増加させる加速部（４１０）、微細気泡を発生させる気泡発生部（１３０）、微細気泡が含有されたシャワー用水を遠回りさせる迂回部（４２０）及び微細気泡が含有されたシャワー用水を吐出する撒水部（１５０）を含んで構成される。
【００７０】
本発明の第１実施例によるシャワーヘッド（１００）と比べると、本発明の第２実施例によるシャワーヘッド（４００）はシャワー用水の流速を増加させる加速部（４１０）と微細気泡が含有されたシャワー用水を遠回りさせる迂回部（４２０）を更に含んでいる。
【００７１】
加速部（４１０）は内部に噴出孔（４１１）が形成されたプレート形象で、流出部（１１２）の内側に設置することができる。噴出孔（４１１）は気泡発生部（１３０）に流入されるシャワー用水の流速を増加させる。
加速部（４１０）によってシャワー用水の流速を増加させる理由は、シャワー用水の流速が早いほど気泡発生部（１３０）で微細気泡がよく発生されるからである。噴出孔（４１１）の直径は約３ｍｍ〜７ｍｍが望ましい。
【００７２】
図８に図示したように、噴出孔（４１１）はシャワー用水の噴出方向で直径が拡がるテーパー形象に形成されることができる。噴出孔（４１１）をテーパー形象で形成すれば気泡発生部（１３０）に複数個の気泡発生管（１３１ａ、１３１ｂ、１３１ｃ）が放射形で設置された場合、噴出孔（４１１）をパスしたシャワー用水が気泡発生管（１３１ａ、１３１ｂ、１３１ｃ）により均一に流入される。
【００７３】
気泡発生管（１３１ａ、１３１ｂ、１３１ｃ）の内側がドライな状態では、最初シャワー用水が前記気泡発生管（１３１ａ、１３１ｂ、１３１ｃ）に流入する際にはシャワー用水が抵抗を受けず剪断力が大きく作用しないので、微細気泡が発生されないまま排出されることがある。
したがって、これを防止するために前記気泡発生部（１３０）をパスしたシャワー用水が真っ直ぐ前記撒水ホール（１５１）に流入されず、迂回しながら一部のシャワー用水が前記気泡発生管（１３１ａ、１３１ｂ、１３１ｃ）の中に再進入する迂回部（４２０）が設置される。
【００７４】
迂回部（４２０）は図８に図示したように、気泡発生管（１３１ａ、１３１ｂ、１３１ｃ）の前端部を取り囲む衝突壁（４２１）と、衝突壁（４２１）の内側と外側の周辺部に放射形に形成される貫通孔（４２２）で構成される。
したがって、シャワー用水が気泡発生管（１３１ａ、１３１ｂ、１３１ｃ）から微細気泡が発生されないまま排出されても、気泡発生管（１３１ａ、１３１ｂ、１３１ｃ）の前面に位置した衝突壁（４２１）と衝突して貫通孔（４２２）に向けて迂回する過程で、気泡発生管（１３１ａ、１３１ｂ、１３１ｃ）の一部分がシャワー用水に沈んで、以後に流入されるシャワー用水が剪断力を受けて微細気泡が発生するようになる。
【００７５】
本実施例の場合、流量調節部（１２０）は気泡発生部（１３０）の前面または気泡発生部（１３０）と加速部（４１０）の間に設置することができる。
【００７６】
以下では本発明の第５実施例によるシャワーヘッド（１００）について説明する。説明の便宜のために第１実施例と類似の部分は同じ図面番号を使い、第１実施例と共通する部分は説明を省略する。
【００７７】
図９は本発明の第５実施例によるシャワーヘッドのボディーを示す断面図である。
本発明の第１実施例によるシャワーヘッド（１００）と比べると、本発明の第５実施例によるシャワーヘッド（５００）は流入されたシャワー用水を渦流させるボディー（５１０）を具備する。
【００７８】
流出部（１１２）で渦流が発生されるようにするために、図９に図示したように流入部（１１１）と流出部（１１２）を連通する径路がボディー（１１０）の長さ方向の中心軸から外れるように形成される。したがって、上前径路の出口（１１３）は前記中心軸から離れて形成される。
【００７９】
前記のような形態に形成された流路を通じてシャワー用水が入水すれば、シャワー用水は流出部（１１２）の内側面に沿って旋回し、渦流が形成される。
また、前記径路や前記径路の出口がボディー（１１０）の長さ方向の中心軸と一致するように形成されても、前記径路の出口にシャワー用水を左側か右側のある一方向に引き渡すガイドを設置してシャワー用水が渦流されるようにできる。
【００８０】
流出部（１１２）でシャワー用水が渦流しながら剪断力が作用して微細気泡が１次的に発生するため、シャワー用水に含まれた気体が更に小さく分割され、気泡発生部（１３０）で微細気泡を効果的に発生することができる。
【００８１】
以下では本発明の第６実施例によるシャワーヘッド（１００）について説明する。説明の便宜のために第１実施例と類似の部分は同じ図面番号を使い、第１実施例と共通する部分は説明を省略する。
【００８２】
図１０ａは本発明の第６実施例によるシャワーヘッドのボディーを示す断面図である。本発明の第１実施例によるシャワーヘッド（１００）と比べると、本発明の第６実施例によるシャワーヘッド（６００）は前記流入部（１１１）と前記流出部（１１２）を連結する流路で分岐されて前記気泡発生部（１３０）と前記撒水部（１５０）の間に出口が位置するように前記ボディー（１１０）の内部に補助流路（６１０）を形成することができる。
【００８３】
補助流路（６１０）をパスするシャワー用水は狭い流路を持つ気泡発生部（１３０）を経ないで吐出されるので、本実施例によるシャワーヘッド（６００）はより豊かな流量のシャワー用水を排出することができる。
【００８４】
また、ボディー（１１０）の一側には補助流路（６１０）を開閉することができるスィッチ（６２０）を設置することができる。
【００８５】
図１０ｂは図１０ａのＢ−Ｂ’線の断面図である。
図１０ｂに図示したようにスィッチ（６２０）はボディー（１１０）の一側に補助流路（６１０）を貫通して設置されて、補助流路（６１０）と連通する流水孔（６２１）が形成される。
スィッチ（６２０）の前面部はボディー（１１０）の外に露出される。したがって、使用者はボディー（１１０）の外に露出したスィッチ（６２０）の前面部を左右に移動させて補助流路（６１０）を開閉させることができる。
【００８６】
ボディー（１１０）にはスィッチ（６２０）が左右に動くことができる空間（６３０）が形成されて、図１０ｂを基準にするとスィッチ（６２０）を右側に動かせば流水孔（６２１）と補助流路（６１０）が重なってシャワー用水が補助流路（６１０）を通じて移動するようになる。
逆に、スィッチ（６２０）を左側に動かせばスィッチ（６２０）が補助流路（６１０）を遮断するようになる。スィッチ（６２０）は補助流路（６１０）を遮断するための多様な手段で構成することができる。
【００８７】
使用者の便宜のためにスィッチ（４２０）は流量（シャワー用水）の調節ができるベルブで置き代えられる。
【００８８】
以上説明し、図面に図示された本発明の実施例は、本発明の技術的思想を限定するものと解釈されてはならない。
本発明の保護範囲は請求範囲に記載した事項によって制限される。本発明の技術分野で通常の知識を有する者は本発明の技術的思想を多様な形態で改良又変更することが可能である。したがって、このような改良及び変更は通常の知識を有する者に自明なことである限り、本発明の保護範囲に属する。
【図１】
2013535298.tif 000003
【図２】
2013535298.tif 000004
【図３】
2013535298.tif 000005
【図４】
2013535298.tif 000006
【図５】
2013535298.tif 000007
【図６】
2013535298.tif 000008
【図７】
2013535298.tif 000009
【図８】
2013535298.tif 000010
【図９】
2013535298.tif 000011
【図１０ａ】
2013535298.tif 000012
【図１０ｂ】
2013535298.tif 000013
【国際調査報告】
2013535298.tif 000014
2013535298.tif 000015
2013535298.tif 000016
2013535298.tif 000017
2013535298.tif 000018
2013535298.tif 000019